(57)【要約】【課題】個々のパネル表示テレビジョンの機体毎にガンマ補正特性を調整することができなかった。【解決手段】本発明においては各パネル表示テレビジョンの機体毎にガンマ補正テーブルを調整することにより、機体毎にばらつくガンマ特性を一様とする調整ができる。また、ＴＶ１００において、ガンマ補正曲線の関数１１４と、同関数の特性を決定するパラメータ１１５とを記憶しており、これらを補正テーブル生成回路１７０が読み出しつつガンマ補正テーブル１１３を生成しＥＥＰＲＯＭ１１２に記憶させる。従って、ＰＣ４０はパラメータ１１５を調整しＴＶ１００に出力すればガンマ補正特性を調整することができる。すなわち、ＰＣ４０とＴＶ１００との間で補正テーブル自体のデータの授受が不要となるため、調整処理が効率化する。【選択図】  図３
2005057543.tif 000002
【特許請求の範囲】
【請求項１】
入力される映像信号に基づいて、画面を構成する多数の画素別にデジタルの階調値で表現する映像データを生成するとともに、
非線形特性を補償して表示パネル上で表示するための入力階調値と出力階調値との対応関係を示す補正テーブルをＥＥＰＲＯＭに記憶し、
同補正テーブルを参照して上記映像データを変換しガンマ補正を行うパネル表示テレビジョンと、
同パネル表示テレビジョンにおける上記非線形特性を補償するためのパラメータを設定する調整装置とからなるパネル表示テレビジョン調整システムであって、
上記パネル表示テレビジョンは、
変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とに対応する上記パラメータに基づいて、上記変曲点を通過する所定の補正カーブからなる上記補正テーブルを生成する補正テーブル生成手段と、
上記調整装置により設定された上記パラメータを入力してＥＥＰＲＯＭに記憶するパラメータ記憶手段と、
同記憶された上記パラメータに基づく上記補正テーブルを生成するとともに同生成した補正テーブルを上記ＥＥＰＲＯＭに記憶する補正テーブル更新手段とを備えるとともに、
上記調整装置は、
上記パネル表示テレビジョンにおけるパラメータ記憶手段にて記憶される所定のパラメータを設定するパラメータ設定手段と、
上記パネル表示テレビジョンに対して全階調値の範囲で階調値を変化させつつグレーの基準映像信号を出力する映像信号出力手段と、
同出力された基準映像信号に基づいて同パネル表示テレビジョンが表示する画面の輝度を測定することが可能であり、同階調値と同階調値の変化に応じた同輝度との対応関係を計測する計測手段と、
同計測手段による計測結果に基づいて上記階調値と輝度との対応関係が許容される所定の範囲内で線形的であるか否かを判断し、許容される範囲内で線形的でなければ上記パラメータの値を増減して上記パラメータ設定手段による設定と上記映像信号出力手段による出力と上記計測手段による計測とを実行させるパラメータ設定制御手段とを備えることを特徴とするパネル表示テレビジョン調整システム。
【請求項２】
入力される映像信号に基づいて、画面を構成する多数の画素別にデジタルの階調値で表現する映像データを生成するとともに、
非線形特性を補償して表示パネル上で表示するための入力階調値と出力階調値との対応関係を示す補正テーブルを不揮発性メモリに記憶し、
同補正テーブルを参照して上記映像データを変換しガンマ補正を行うパネル表示テレビジョンと、
同パネル表示テレビジョンにおける上記非線形特性を補償するためのパラメータを設定する調整装置とからなるパネル表示テレビジョン調整システムであって、
上記パネル表示テレビジョンは、
変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とに対応する上記パラメータに基づいて、上記変曲点を通過する所定の補正カーブからなる上記補正テーブルを生成する補正テーブル生成手段と、
上記調整装置により設定された上記パラメータを入力して不揮発性メモリに記憶するパラメータ記憶手段と、
同記憶された上記パラメータに基づく上記補正テーブルを生成するとともに同生成した補正テーブルを上記不揮発性メモリに記憶する補正テーブル更新手段とを備えるとともに、
上記調整装置は、
上記パネル表示テレビジョンにおけるパラメータ記憶手段にて記憶される所定のパラメータを設定するパラメータ設定手段と、
上記パネル表示テレビジョンに対して所定の範囲で階調値を変化させつつ映像信号を出力する映像信号出力手段と、
同出力された映像信号に基づいて同パネル表示テレビジョンが表示する画面の輝度を測定することが可能であり、同階調値と同階調値の変化に応じた同輝度との対応関係を計測する計測手段と、
同計測手段による計測結果に基づいて上記階調値と輝度との対応関係が許容される所定の範囲内であるか否かを判断し、許容される範囲外であれば上記パラメータの値を増減して上記パラメータ設定手段による設定と上記映像信号出力手段による出力と上記計測手段による計測とを実行させるパラメータ設定制御手段とを備えることを特徴とするパネル表示テレビジョン調整システム。
【請求項３】
上記パラメータ設定制御手段は、
上記計測手段による計測結果に基づいて上記階調値と輝度との対応関係が許容される所定の範囲内で線形的であるか否かを判断し、許容される範囲内で線形的でなければ上記パラメータの値を増減して上記パラメータ設定手段による設定と上記映像信号出力手段による出力と上記計測手段による計測とを実行させるパラメータ設定制御手段とを備えることを特徴とする請求項２に記載のパネル表示テレビジョン調整システム。
【請求項４】
上記映像信号出力手段は、
上記パネル表示テレビジョンに対して所定の範囲で階調値を変化させつつグレーの基準映像信号を出力することを特徴とする請求項２または請求項３のいずれかに記載のパネル表示テレビジョン調整システム。
【請求項５】
上記映像信号出力手段は、
上記パネル表示テレビジョンに対して全階調値の範囲で階調値を変化させつつ映像信号を出力することを特徴とする請求項２から請求項４のいずれかに記載のパネル表示テレビジョン調整システム。
【請求項６】
入力される映像信号に基づいて、画面を構成する多数の画素別にデジタルの階調値で表現する映像データを生成するとともに、
非線形特性を補償して表示パネル上で表示するための入力階調値と出力階調値との対応関係を示す補正テーブルを不揮発性メモリに記憶し、
同補正テーブルを参照して上記映像データを変換しガンマ補正を行うパネル表示テレビジョンに対して、
調整装置を用いて同パネル表示テレビジョンにおける上記非線形特性を補償するためのパラメータを設定するパネル表示テレビジョン調整方法であって、
上記パネル表示テレビジョンは、
変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とに対応する上記パラメータに基づいて、上記変曲点を通過する所定の補正カーブからなる上記補正テーブルを生成する補正テーブル生成工程と、
上記調整装置により設定された上記パラメータを入力して不揮発性メモリに記憶するパラメータ記憶工程と、
同記憶された上記パラメータに基づく上記補正テーブルを生成するとともに同生成した補正テーブルを上記不揮発性メモリに記憶する補正テーブル更新工程とを備えるとともに、
上記調整装置は、
上記パネル表示テレビジョンにおけるパラメータ記憶工程にて記憶される所定のパラメータを設定するパラメータ設定工程と、
上記パネル表示テレビジョンに対して所定の範囲で階調値を変化させつつ映像信号を出力する映像信号出力工程と、
同出力された映像信号に基づいて同パネル表示テレビジョンが表示する画面の輝度を測定することが可能であり、同階調値と同階調値の変化に応じた同輝度との対応関係を計測する計測工程と、
同計測工程による計測結果に基づいて上記階調値と輝度との対応関係が許容される所定の範囲内であるか否かを判断し、許容される範囲外であれば上記パラメータの値を増減して上記パラメータ設定工程による設定と上記映像信号出力工程による出力と上記計測工程による計測とを実行させるパラメータ設定制御工程とを備えることを特徴とするパネル表示テレビジョン調整方法。
【請求項７】
入力される映像信号に基づいて、画面を構成する多数の画素別にデジタルの階調値で表現する映像データを生成するとともに、
非線形特性を補償して表示パネル上で表示するための入力階調値と出力階調値との対応関係を示す補正テーブルを不揮発性メモリに記憶し、
同補正テーブルを参照して上記映像データを変換しガンマ補正を行うパネル表示テレビジョンであって、
変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とからなるパラメータに基づいて、上記変曲点を通過する所定の補正カーブからなる上記補正テーブルを生成する補正テーブル生成手段と、
外部に接続された調整装置により調整された上記パラメータを入力して不揮発性メモリに記憶するパラメータ記憶手段と、
同記憶された上記パラメータに基づく上記補正テーブルを生成するとともに同生成した補正テーブルを上記不揮発性メモリに記憶する補正テーブル更新手段とを具備することを特徴とするパネル表示テレビジョン。
【発明の詳細な説明】
【技術分野】
【０００１】
本発明は、特にガンマ補正が可能なパネル表示テレビジョンに対するパネル表示テレビジョン調整システム、パネル表示テレビジョン調整方法、およびその対象となるパネル表示テレビジョンに関する。
【背景技術】
【０００２】
従来、この種のパネル表示テレビジョンは各入力階調値に対応するガンマ補正後の出力階調の対応を示す補正テーブルを予めメモリに記憶し、同補正テーブルに基づいてガンマ補正をしつつダイナミック最大値や輝度やコントラストを調整するものが知られている（例えば、特許文献１参照。）。
かかる構成によれば、上記補正テーブルに基づいて適正なガンマ補正を行うことが可能であった。なお、本構成において入力階調の代表値に対応する上記補正テーブルが予め記憶され、上記補正テーブルをプロットし折れ線により連結することにより全段階の入力階調に対応する上記補正テーブルを生成している（特許文献１の図２参照。）。
【特許文献１】特開２００１−３０９２０７号公報
【発明の開示】
【発明が解決しようとする課題】
【０００３】
上述した従来のパネル表示テレビジョンにおいて、パネル表示パネルの製造誤差等により個々のパネル表示テレビジョンセット毎にガンマ特性が異なることがあり、個々のパネル表示テレビジョンセット毎に映像の見え方が相違する場合があった。この場合、ダイナミック最大値や輝度やコントラストを調整をすることが可能であっても、補正テーブル自体を最適化することができず、根本的に解決することができないという課題があった。
また、補正テーブルを個々のパネル表示テレビジョンセット毎に最適化しようとすると、個々のパネル表示テレビジョンセットに対して入力階調の各代表値毎にガンマ補正後の出力階調値を最適化したり、予め複数の補正テーブルをメモリに記憶しておき、その中から個々のパネル表示テレビジョンセットに適するものを選択する等をする必要があった。
【０００４】
しかしながら、前者において入力階調の各代表値毎に最適なガンマ補正後の出力階調値を算出し補正テーブルを書き換えることが必要となるため、調整装置とパネル表示テレビジョンとの間のデータ伝送等に時間がかかるという課題があった。後者においては、複数の上記補正テーブルをメモリに記憶することが必要となるため、大容量のメモリが必要となるという課題もあった。
本発明は、上記課題にかんがみてなされたもので、メモリの容量を節約しつつ個々のパネル表示テレビジョンセットに対して効率よくガンマ補正テーブルの最適化を行うことができるパネル表示テレビジョン調整システムおよびパネル表示テレビジョン調整方法およびパネル表示テレビジョンの提供を目的とする。
【課題を解決するための手段】
【０００５】
上記目的を達成するため、請求項１にかかる発明は、入力される映像信号に基づいて、画面を構成する多数の画素別にデジタルの階調値で表現する映像データを生成するとともに、非線形特性を補償して表示パネル上で表示するための入力階調値と出力階調値との対応関係を示す補正テーブルをＥＥＰＲＯＭに記憶し、同補正テーブルを参照して上記映像データを変換しガンマ補正を行うパネル表示テレビジョンと、同パネル表示テレビジョンにおける上記非線形特性を補償するためのパラメータを設定する調整装置とからなるパネル表示テレビジョン調整システムであって、
上記パネル表示テレビジョンは、変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とに対応する上記パラメータに基づいて、上記変曲点を通過する所定の補正カーブからなる上記補正テーブルを生成する補正テーブル生成手段と、上記調整装置により設定された上記パラメータを入力してＥＥＰＲＯＭに記憶するパラメータ記憶手段と、同記憶された上記パラメータに基づく上記補正テーブルを生成するとともに同生成した補正テーブルを上記ＥＥＰＲＯＭに記憶する補正テーブル更新手段とを備えるとともに、上記調整装置は、上記パネル表示テレビジョンにおけるパラメータ記憶手段にて記憶される所定のパラメータを設定するパラメータ設定手段と、上記パネル表示テレビジョンに対して全階調値の範囲で階調値を変化させつつグレーの基準映像信号を出力する映像信号出力手段と、同出力された基準映像信号に基づいて同パネル表示テレビジョンが表示する画面の輝度を測定することが可能であり、同階調値と同階調値の変化に応じた同輝度との対応関係を計測する計測手段と、同計測手段による計測結果に基づいて上記階調値と輝度との対応関係が許容される所定の範囲内で線形的であるか否かを判断し、許容される範囲内で線形的でなければ上記パラメータの値を増減して上記パラメータ設定手段による設定と上記映像信号出力手段による出力と上記計測手段による計測とを実行させるパラメータ設定制御手段とを備える構成としてある。
【０００６】
上記のように構成した請求項１の発明において、上記パネル表示テレビジョンは、入力される映像信号に基づき画面を構成する多数の画素別にデジタルの階調値で表現する映像データを生成することが可能である。上記ＥＥＰＲＯＭに記憶された補正テーブルを参照して生成された映像データを変換することによりガンマ補正が行われる。すなわち、上記補正テーブルは非線形特性を補償可能な入力階調値と出力階調値との対応関係を示すため、表示パネル上で表示される映像に線形性を確保させることができる。上記調整装置は、上記表示パネル上で表示される映像の上記非線形特性を補償するためのパラメータを調整しつつ設定する。すなわち、上記調整装置が上記パラメータを適正に調整することにより、上記パネル表示テレビジョンにおける上記ガンマ補正を適正に行うことが可能となる。
【０００７】
上記パネル表示テレビジョンは、補正テーブル生成手段を備え同補正テーブル生成手段により所定の補正カーブからなる上記補正テーブルを生成する。この補正カーブは、変曲点に対応する所定の変曲点階調値と低階調γ値と高階調γ値とからなる上記パラメータにより定められ上記変曲点を通過する。また、上記補正カーブは、上記変曲点階調値より小さい階調範囲においては上記低階調γ値によるガンマ補正曲線から生成され、上記変曲点階調値より大きい階調範囲においては上記高階調γ値によるガンマ補正曲線から生成される。すなわち、上記補正テーブル生成手段は、上記変曲点階調値と上記低階調γ値と上記高階調γ値とからなる上記パラメータおよび上記ガンマ補正曲線とから上記補正テーブルを生成することができる。
【０００８】
上記補正テーブルの生成に供される上記パラメータは、上記調整装置により設定され上記パラメータ記憶手段により上記パネル表示テレビジョンに備えられたＥＥＰＲＯＭに記憶される。また、上記補正テーブル更新手段によって上記パラメータに基づいて生成された上記補正テーブルも上記ＥＥＰＲＯＭに記憶される。従って、上記ＥＥＰＲＯＭに上記補正テーブルが更新されると、上記ガンマ補正は更新された上記補正テーブルを参照して行うことができる。すなわち、上記調整装置により設定された上記パラメータを以後行うガンマ補正に反映させることができる。
【０００９】
一方、上記調整装置はパラメータ設定手段を備え、同パラメータ設定手段において調整された上記パラメータを設定し上記パネル表示テレビジョンにおけるパラメータ記憶手段に出力する。このとき上記調整装置から上記パネル表示テレビジョンに出力されるデータは上記パラメータのみで済む。上記調整装置は映像信号出力手段を備え、同映像信号出力手段においては上記パネル表示テレビジョンに対して全階調値の範囲で階調値を変化させつつグレーの基準映像信号を出力する。すなわち、赤，緑，青の各チャンネルの階調値を一様に保ちつつ全階調値の範囲で階調値を変化させて出力する。従って、各チャンネルの輝度に対する寄与率を均等化することができるため、各チャンネルの輝度の評価を同時に行うことができる。上記パネル表示テレビジョンに対して基準映像信号が出力されると、上記パネル表示テレビジョンの上記表示パネルに対応した映像が映し出される。上記計測手段は、この映像画面の輝度を測定することが可能となっており、上記基準映像信号の階調値と同階調値の変化に応じた輝度との対応関係を計測することができる。また、全階調値の範囲で階調値を変化させるため、全階調に対する輝度の対応関係を計測することができる。
【００１０】
同計測された上記基準映像信号の階調値と同階調値の変化に応じた輝度との対応関係は、上記パラメータ設定制御手段により解析される。すなわち、上記パラメータに基づく上記ガンマ補正が上記表示パネル上で表示される映像の上記非線形特性を補償するか否かを判定する。この非線形特性を補償するか否かを判定においては、許容される所定の範囲が設定されており、同範囲内において線形性が実現されているか否かを判定する。そして、上記範囲内において線形性が実現されていなければ、上記パラメータの値を増減させる。すなわち、上記ガンマ補正の特性を変更すべく上記パラメータの値を増減して調整する。上記パラメータの値を増減すると、その増減の妥当性を確認するために上記パラメータ設定手段による設定と上記映像信号出力手段による出力と上記計測手段による計測とを実行させる。以上の処理を線形性が実現されるまで繰り返すことにより、上記表示パネル上で表示される映像の上記非線形特性を補償することを可能とする上記パラメータの調整ができる。
【００１１】
さらに、請求項２にかかる発明は、入力される映像信号に基づいて、画面を構成する多数の画素別にデジタルの階調値で表現する映像データを生成するとともに、非線形特性を補償して表示パネル上で表示するための入力階調値と出力階調値との対応関係を示す補正テーブルを不揮発性メモリに記憶し、同補正テーブルを参照して上記映像データを変換しガンマ補正を行うパネル表示テレビジョンと、同パネル表示テレビジョンにおける上記非線形特性を補償するためのパラメータを設定する調整装置とからなるパネル表示テレビジョン調整システムであって、
上記パネル表示テレビジョンは、変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とに対応する上記パラメータに基づいて、上記変曲点を通過する所定の補正カーブからなる上記補正テーブルを生成する補正テーブル生成手段と、上記調整装置により設定された上記パラメータを入力して不揮発性メモリに記憶するパラメータ記憶手段と、同記憶された上記パラメータに基づく上記補正テーブルを生成するとともに同生成した補正テーブルを上記不揮発性メモリに記憶する補正テーブル更新手段とを備えるとともに、上記調整装置は、上記パネル表示テレビジョンにおけるパラメータ記憶手段にて記憶される所定のパラメータを設定するパラメータ設定手段と、上記パネル表示テレビジョンに対して所定の範囲で階調値を変化させつつ映像信号を出力する映像信号出力手段と、同出力された映像信号に基づいて同パネル表示テレビジョンが表示する画面の輝度を測定することが可能であり、同階調値と同階調値の変化に応じた同輝度との対応関係を計測する計測手段と、同計測手段による計測結果に基づいて上記階調値と輝度との対応関係が許容される所定の範囲内であるか否かを判断し、許容される範囲外であれば上記パラメータの値を増減して上記パラメータ設定手段による設定と上記映像信号出力手段による出力と上記計測手段による計測とを実行させるパラメータ設定制御手段とを備える構成としてある。
【００１２】
上記のように構成した請求項２の発明において、上記パネル表示テレビジョンは、入力される映像信号に基づき画面を構成する多数の画素別にデジタルの階調値で表現する映像データを生成することが可能である。上記不揮発性メモリに記憶された補正テーブルを参照して生成された映像データを変換することによりガンマ補正が行われる。すなわち、上記補正テーブルは非線形特性を補償可能な入力階調値と出力階調値との対応関係を示すため、表示パネル上で表示される映像に線形性を確保させることができる。上記調整装置は、上記表示パネル上で表示される映像の上記非線形特性を補償するためのパラメータを調整しつつ設定する。すなわち、上記調整装置が上記パラメータを適正に調整することにより、上記パネル表示テレビジョンにおける上記ガンマ補正を適正に行うことが可能となる。
【００１３】
上記パネル表示テレビジョンは、補正テーブル生成手段を備え同補正テーブル生成手段により所定の補正カーブからなる上記補正テーブルを生成する。この補正カーブは、変曲点に対応する所定の変曲点階調値と低階調γ値と高階調γ値とからなる上記パラメータにより定められ上記変曲点を通過する。また、上記補正カーブは、上記変曲点階調値より小さい階調範囲においては上記低階調γ値によるガンマ補正曲線から生成され、上記変曲点階調値より大きい階調範囲においては上記高階調γ値によるガンマ補正曲線から生成される。すなわち、上記補正テーブル生成手段は、上記変曲点階調値と上記低階調γ値と上記高階調γ値とからなる上記パラメータおよび上記ガンマ補正曲線とから上記補正テーブルを生成することができる。
【００１４】
上記補正テーブルの生成に供される上記パラメータは、上記調整装置により設定され上記パラメータ記憶手段により上記パネル表示テレビジョンに備えられた不揮発性メモリに記憶される。また、上記補正テーブル更新手段によって上記パラメータとともに、これに基づいて生成された上記補正テーブルも上記不揮発性メモリに記憶される。従って、上記不揮発性メモリに上記補正テーブルが更新されると、上記ガンマ補正は更新された上記補正テーブルを参照して行うことができる。すなわち、上記調整装置により設定された上記パラメータを以後行うガンマ補正に反映させることができる。
【００１５】
一方、上記調整装置はパラメータ設定手段を備え、同パラメータ設定手段において調整された上記パラメータを設定し上記パネル表示テレビジョンにおけるパラメータ記憶手段に出力する。上記調整装置は映像信号出力手段を備え、同映像信号出力手段においては上記パネル表示テレビジョンに対して所定の階調値の範囲で階調値を変化させつつ映像信号を出力する。上記パネル表示テレビジョンに対して基準映像信号が出力されると、上記パネル表示テレビジョンの上記表示パネルに対応した映像が映し出される。上記計測手段は、この映像画面の輝度を測定することが可能となっており、上記基準映像信号の階調値と所定の範囲における同階調値の変化に応じた輝度との対応関係を計測することができる。
【００１６】
同計測された上記基準映像信号の階調値と同階調値の変化に応じた輝度との対応関係は、上記パラメータ設定制御手段により解析される。すなわち、上記パラメータに基づく上記ガンマ補正が上記表示パネル上で表示される映像の上記非線形特性を補償するか否かを判定する。この非線形特性を補償するか否かを判定においては、許容される所定の範囲が設定されており、実際の輝度がこの範囲内となるか否かを判定する。そして、実際の輝度が許容される所定の範囲内となってていなければ、上記パラメータの値を増減させる。すなわち、上記ガンマ補正の特性を変更すべく上記パラメータの値を増減して調整する。上記パラメータの値を増減すると、その増減の妥当性を確認するために上記パラメータ設定手段による設定と上記映像信号出力手段による出力と上記計測手段による計測とを実行させる。以上の処理を線形性が実現されるまで繰り返すことにより、上記表示パネル上で表示される映像の上記非線形特性を補償することを可能とする上記パラメータの調整ができる。
【００１７】
また、請求項３にかかる発明は、上記パラメータ設定制御手段は、上記計測手段による計測結果に基づいて上記階調値と輝度との対応関係が許容される所定の範囲内で線形的であるか否かを判断し、許容される範囲内で線形的でなければ上記パラメータの値を増減して上記パラメータ設定手段による設定と上記映像信号出力手段による出力と上記計測手段による計測とを実行させるパラメータ設定制御手段とを備える構成としてある。
【００１８】
上記のように構成した請求項３の発明において、上記パラメータ設定制御手段により、上記階調値と輝度との対応関係が許容される所定の範囲内で線形的となるか否かを判断する。上記階調値と輝度との対応関係が許容される所定の範囲内となれば上記ガンマ補正が適正に行われていることが判断でき、上記階調値と輝度との対応関係が許容される所定の範囲外となれば上記ガンマ補正が適正に行われていないと判断することができる。そして、上記ガンマ補正が適正に行われていないと判断すると、上記パラメータを増減させる。すなわち、上記パラメータを増減させることにより、上記ガンマ補正の補正特性を修正する。
【００１９】
さらに請求項４にかかる発明は、上記映像信号出力手段は、上記パネル表示テレビジョンに対して所定の範囲で階調値を変化させつつグレーの基準映像信号を出力する構成としてある。
上記のように構成した請求項４の発明において、上記映像信号出力手段は、上記パネル表示テレビジョンに対して全階調値の範囲で階調値を変化させつつグレーの基準映像信号を出力する。すなわち、赤，緑，青の各チャンネルの階調値を一様に保ちつつ所定の階調値の範囲で階調値を変化させて出力する。従って、各チャンネルの輝度に対する寄与率を均等化することができるため、各チャンネルの輝度の評価を同時に行うことができる。
【００２０】
また、請求項５にかかる発明は、上記映像信号出力手段は、上記パネル表示テレビジョンに対して全階調値の範囲で階調値を変化させつつ映像信号を出力する構成としてある。
上記のように構成した請求項５の発明において、上記映像信号出力手段が上記パネル表示テレビジョンに対して出力する映像信号は、全階調値の範囲において階調値を変化させられる。すなわち、全階調においてガンマ補正により上記表示パネル上で表示される映像の上記非線形特性が補償されるか否かを確認することができる。
【００２１】
また、請求項６にかかる発明のように、パネル表示テレビジョンに対してパラメータを設定して出力するパネル表示テレビジョン調整方法としても、同様の作用、効果となる。
【００２２】
さらに、請求項７にかかる発明は、入力される映像信号に基づいて、画面を構成する多数の画素別にデジタルの階調値で表現する映像データを生成するとともに、非線形特性を補償して表示パネル上で表示するための入力階調値と出力階調値との対応関係を示す補正テーブルを不揮発性メモリに記憶し、同補正テーブルを参照して上記映像データを変換しガンマ補正を行うパネル表示テレビジョンであって、
変曲点に対応する所定の変曲点階調値と、同変曲点階調値より小さい階調範囲でガンマ補正曲線を利用した補正カーブを生成するための低階調γ値と、同変曲点階調値より大きい階調範囲でガンマ補正曲線を利用した補正カーブを生成するための高階調γ値とからなるパラメータに基づいて、上記変曲点を通過する所定の補正カーブからなる上記補正テーブルを生成する補正テーブル生成手段と、外部に接続された調整装置により調整された上記パラメータを入力して不揮発性メモリに記憶するパラメータ記憶手段と、同記憶された上記パラメータに基づく上記補正テーブルを生成するとともに同生成した補正テーブルを上記不揮発性メモリに記憶する補正テーブル更新手段とを具備することを特徴とするパネル表示テレビジョン。
【００２３】
上記のように構成した請求項７の発明において、上記補正テーブルは、上記低階調γ値と上記高階調γ値と上記変曲点階調値とからなる上記パラメータおよび上記ガンマ補正曲線とから生成可能であるため、調整装置にて調整された上記パラメータを受け付ければ調整された上記補正テーブルを得ることが可能である。
【発明の効果】
【００２４】
請求項１、請求項２、請求項６、請求項７にかかる発明によれば、ガンマ補正テーブル自体の適正化をすることができため、パネル表示テレビジョンの機体毎に異なるガンマ特性を一様とする調整が可能となる。
請求項３にかかる発明では、ガンマ補正が表示パネルの有する非線形性を補償するか否かを判断することができる。
【００２５】
請求項４にかかる発明では、赤，緑，青の各チャンネルについて同時にガンマ補正の評価を行うことができる。
請求項５にかかる発明では、全階調においてガンマ補正が表示パネルの有する非線形性を補償するか否かを判断することが可能となる。
【発明を実施するための最良の形態】
【００２６】
以下、下記の順序に従って本発明の実施の形態について説明する。
（１）パネル表示テレビジョン調整システムの構成：
（２）ガンマ補正テーブルについて：
（３）調整用コンピュータの構成：
（４）調整処理とパネル表示テレビジョン調整方法の説明：
【００２７】
（１）パネル表示テレビジョン調整システムの構成：
図１は本発明の一実施形態にかかるパネル表示テレビジョン調整システム１０の一例の概略構成を示すシステム構成図であり、図３はパネル表示テレビジョンとしての液晶テレビジョン（ＴＶ）１００の構成を示すブロック図である。
【００２８】
本発明の液晶テレビジョン調整装置は、カラーアナライザー３０と、調整用コンピュータであるパーソナルコンピュータ（ＰＣ）４０とから構成されている。本システム１０は、同液晶テレビジョン調整装置と、ＴＶ１００とから構成されている。調整の対象となるＴＶ１００は、所定の信号ケーブル２９を介してＰＣ４０に接続されるとともに、別の所定の信号ケーブル４９を介してもＰＣ４０に接続されている。
【００２９】
図２は、カラーアナライザー３０の構成を示すブロック図である。カラーアナライザー３０は、光学系として、ＣＣＤ撮像素子３１、このＣＣＤ撮像素子３１を接続したコントローラ３２ａやレンズ制御系３２ｂ等を備えている。また、制御系として、内部のバスに接続されたＣＰＵやＲＯＭやＲＡＭやＩ／Ｏポート等を備えるマイコン３３ａ、コントローラ３２ａに接続されるとともにＣＣＤ撮像素子３１を接続したアナログ／デジタル変換回路（Ａ／Ｄ変換回路）３３ｂ、所定の信号ケーブル３９を接続したインターフェイス（Ｉ／Ｆ）３３ｃ、等が、システムバス３０ａに接続されている。マイコン３３ａのＩ／Ｏポートにはコントローラ３２ａが接続されており、マイコン３３ａはコントローラ３２ａの動作を制御しながらバス３０ａを介してＡ／Ｄ変換回路３３ｂからデジタルの輝度値（測定値）を読み込んでＩ／Ｆ３３ｃから外部に出力することが可能である。このＩ／Ｆ３３ｃにケーブル３９を介してＰＣ４０が接続されている。
【００３０】
以上の構成により、ＣＣＤ撮像素子を有するカラーアナライザー３０は、ＰＣ４０からの撮像指示を表す信号を入力すると、ＴＶ１００の表示画面１９９を撮像し、ＣＣＤ撮像素子３１にてＣＣＤ撮像素子別に輝度を対応する電圧として検出し、Ａ／Ｄ変換回路３３ｂにて検出した電圧に対応するデジタルの電圧値（０〜２５５の２５６階調）に変換し、変換後の電圧値を輝度値として検出する。また、Ｉ／Ｆ３３ｃ、ケーブル３９を介してＰＣ４０からＴＶ１００に出力される階調値を取得しており、輝度値とＰＣ４０からＴＶ１００に出力される階調値との対応関係が判明するようになっている。そして、輝度値とＰＣ４０からＴＶ１００に出力される階調値との対応関係を示すデータをＩ／Ｆ３３ｃ、ケーブル３９を介してＰＣ４０に対して出力する。本発明にいう計測手段は、カラーアナライザー３０により構成される。
【００３１】
図３は、パネル表示テレビジョンとしての液晶表示テレビジョン（ＴＶ）１００の構成を示すブロック図である。ＴＶ１００は、電源装置１９０は、本体部１０１、インバータ１８６、液晶モジュール（液晶表示部）１８０等から構成されている。電源装置１９０は、本体部１０１、インバータ１８６、液晶モジュール（液晶表示部）１８０に対して所定電圧の直流電圧を供給している。インバータ１８６は、電源装置１９０からの直流電圧を入力し、高電圧を発生させて液晶モジュール１８０のバックライト１８５に供給する。
【００３２】
本体部１０１は、図２に示す各部１０３，１１０，１１１，１１２，１２０，１２１，１２２，１２３，１３０，１７０，ＣＬＫ１，ＣＬＫ２、等から構成されている。クロックラインＳＣＬとデータラインＳＤＡとから構成されるＩＩＣバス１０２には、ＩＩＣバスデータポート１０３、マイコン１１０、ＥＥＰＲＯＭ（記憶するデータを書き換え可能な不揮発性メモリ）１１２、公知のチューナＩＣを中心としたチューナ回路１２０、ビデオ信号処理部１３０のＩ／Ｆ１６４、等が接続されている。これらの回路は互いにバス１０２を介してシリアルデータを送受信する。チューナ回路１２０は、別の信号線を介して直接接続されたマイコン１１０から同信号線を介して入力される信号に基づく制御により動作するようになっている。
【００３３】
発振回路ＣＬＫ２からクロック信号が供給されて動作するビデオ信号処理部１３０は、主要部がＩＣとされ、各部１４０，１５０，１６１〜１６４等から構成されている。さらに、ＲＧＢ信号生成部１４０は各部１４１〜１４５等から構成され、ＲＧＢ信号処理部１５０は各部１５１〜１５５等から構成されている。
【００３４】
マイコン１１０は、発振回路ＣＬＫ１や操作パネル１１１や図示しないリモコン信号受光部が直接接続されており、操作パネル１１１等への操作入力に対応するデータを同操作パネル１１１等から入力可能とされている。また、マイコン１１０は、内部のバスに接続されたＣＰＵ、ＲＯＭ、ＲＡＭ、複数のＩ／Ｏポート、図示しないタイマ回路、等を備えており、ＣＰＵがＲＯＭやＥＥＰＲＯＭ１１２に書き込まれた内部回路制御用のプログラムに従ってＴＶ全体を制御することにより、ＴＶとしての機能を実現している。
【００３５】
ＥＥＰＲＯＭ１１２は、液晶モジュール１８０の表示の非線形特性を補償するガンマ補正を行う際に参照するための入力階調値と出力階調値との対応関係を表すガンマ補正テーブル（補正テーブル）１１３を記憶している。また、補正テーブルを生成するために必要なガンマ補正曲線の関数１１４と、そのパラメータ１１５とがそれぞれ記憶されている。
【００３６】
補正テーブル生成回路１７０は、ＥＥＰＲＯＭ１１２からガンマ補正曲線の関数１１４と、同関数１１４のパラメータ１１５とを読み出して、これらに基づいてガンマ補正テーブル１１３を作成しＥＥＰＲＯＭ１１２に記憶させる。
【００３７】
チューナ回路１２０は、主要部がＩＣとされたアナログテレビジョン用の公知の回路であり、アンテナ１２１から所定の放送方式によるアナログのテレビジョン信号（映像信号の一種）を入力して中間周波信号を作成して出力することが可能である。所定の放送方式にはＰＡＬ方式、ＳＥＣＡＭ方式、ＮＴＳＣ方式等があり、チューナ回路は複数の種類の放送方式のＴＶ信号を入力して中間周波信号を生成する回路であってもよい。本回路１２０はいわゆる周波数シンセサイザ方式のチューナを内蔵しており、図示しない高周波増幅回路、局部発振回路、混合回路等を備えている。むろん、電圧シンセサイザ方式等であってもよい。
【００３８】
スイッチ回路１２２は、主要部がＩＣとされており、マイコン１１０とチューナ回路１２０とコンポジット映像入力端子１２３が接続されている。スイッチ回路１２２は、マイコン１１０から入力される選択指示に従って、チューナ回路１２０からの中間周波信号と端子１２３からのアナログのコンポジット映像信号（映像信号の一種）とを選択的に入力し、同期信号を分離して同期信号制御回路１６１に対して出力するとともに、同期信号が分離された映像信号をＡ／Ｄ変換回路１４１に対して出力する。
【００３９】
同期信号制御回路１６１は、上記同期信号を入力し、発振回路ＣＬＫ２のクロック信号にタイミングを合わせてビデオ信号処理部１３０内の信号を同期させる制御を行う。ビデオタイミング回路１６２は、同回路１６１の指示に従って、生成されるＹＵＶ信号（輝度信号Ｙと色差信号R-Y,B-Yとからなる信号）のタイミングを合わせるためのビデオタイミング信号を生成してクロマデコーダ回路１４３とパネルタイミング回路１６３に対して出力する。パネルタイミング回路１６３は、生成されるＲＧＢ信号（Ｒ信号とＧ信号とＢ信号とからなる信号）のタイミングを合わせるためのパネルタイミング信号を生成してＲＧＢ信号処理部１５０に対して出力する。
ＲＧＢ信号生成部１４０は、Ｉ／Ｆ１６４に接続されており、マイコン１１０からの指示に従って所定の処理を行う。
【００４０】
Ａ／Ｄ変換回路１４１は、同期信号が分離された映像信号を入力してＡ／Ｄ変換を行い、当該映像信号の白レベルと黒レベルとの間の電圧を対応する２５６段階のデジタル階調値に変換する。そして、デジタルの階調値からなるデジタル信号をＹＣ分離回路１４２に対して出力する。ＹＣ分離回路１４２は、このデジタル信号を入力して輝度信号Ｙと搬送色信号Ｃとに分離し、クロマデコーダ回路１４３に対して出力する。クロマデコーダ回路１４３は、輝度信号Ｙと搬送色信号Ｃを入力し、同輝度信号Ｙと搬送色信号Ｃに対応するＹＵＶ信号を生成し、上記ビデオタイミング信号にタイミングを合わせて、画質調整回路１４４に対して出力する。画質調整回路１４４は、ＹＵＶ信号を入力し、コントラスト調整、ＴＩＮＴ調整、ブライト調整、肌色補正等の色彩調整、白黒伸長調整、遅延調整、水平シャープネス調整、等の処理を行い、調整処理後のＹＵＶ信号をマトリックス回路１４５に対して出力する。マトリックス回路１４５は、この調整処理後のＹＵＶ信号を入力し、輝度信号Ｙと色差信号R-Y,B-Yとを組み合わせて三原色別の３種類の色信号であるＲＧＢ信号を生成し、画素数変換回路１５１に対して出力する。このＲＧＢ信号は映像を色別の多数（複数）の画素別にデジタルの階調値で表現する映像データであり、同階調値は、大きくなるほど映像が明るくなり（輝度が大きくなり）、小さくなるほど映像が暗くなる（輝度が小さくなる）。
【００４１】
ＲＧＢ信号処理部１５０は、Ｉ／Ｆ１６４に接続されており、マイコン１１０からの指示に従って所定の処理を行う。ＲＡＭからなるメモリ１５５は、各部１５１〜１５４に接続されており、ガンマ補正用の補正テーブル等、画質調整用のデータを保持するとともに、１画面分のＲＧＢ信号からなる映像データを格納する。
【００４２】
スケーラとも呼ばれる画素数変換回路１５１は、ＲＧＢ信号を入力し、液晶パネル１８２〜１８４の画素数に合わせて画素数を変換する所定のスケーリング処理を行い、上記パネルタイミング信号にタイミングを合わせて、画素数変換後のＲＧＢ信号をメモリ１５５に書き込む。本実施形態では液晶パネル１８２〜１８４の画素数を横６４０×縦４８０画素であるものとして説明するが、１０２４×７６８画素等であってもよい。メモリ１５５に書き込まれたＲＧＢ信号は、映像を色別の６４０×４８０画素別にデジタルの階調値で表現する映像データであり、同階調値は、０〜２５５の２５６階調であるものとして説明する。
【００４３】
画質調整回路１５２は、メモリ１５５から色別に各画素の階調値を順次参照し、画素数変換後のＲＧＢ信号を構成する階調値に対して、輪郭補正、ＯＳＤ信号の重畳、彩度補正、等の調整処理を行う。
【００４４】
γ補正回路１５３は、上記調整処理後のＲＧＢ信号に対してガンマ補正を行い、液晶モジュール１８０の表示のガンマ特性を補償する。本ＴＶの電源がオンにされると、マイコン１１０はＥＥＰＲＯＭ１１２から補正テーブル１１３を読み出してＩ／Ｆ１６４を介してメモリ１５５に記憶させるようになっている。γ補正回路１５３は、電源オンの状態でメモリ１５５に保持されている補正テーブルを参照して、ＲＧＢ信号の色別の画素別に入力階調値に対応する出力階調値を同補正テーブルから取得し、同入力階調値を同取得した出力階調値に置き換えることによりガンマ補正後の映像データを生成するガンマ補正を行う。
【００４５】
輝度・コントラスト調整回路１５４は、メモリ１５５に格納されている色別の画素別に階調値で表現されるガンマ補正後の映像データに対して輝度調整、コントラスト調整の処理を行い、液晶モジュール１８０の制御回路１８１に対して出力する。
【００４６】
上記制御回路１８１は、画面表示の制御駆動処理を行う電子回路であり、ガンマ補正が行われた映像データから色別にＲ用液晶パネル１８２、Ｇ用液晶パネル、Ｂ用液晶パネル１８４を駆動する電圧を生成する。バックライト１８５は、インバータ１８６から高電圧が供給されて点灯し、生じた光が背面から正面方向へ液晶パネル１８２〜１８４を透過するようになっている。これにより、液晶モジュール１８０は、画面１９９から映像データに対応する映像、すなわち、映像信号に対応する映像を表示する。
上記基準信号が入力されたＴＶでは、同基準信号に対応する映像データを生成し、同映像データに対してガンマ補正を行って画面１９９から同基準信号に対応する基準の表示画面を表示する。
【００４７】
なお、信号切替部２３に接続されたＩ／Ｏポート２４を設けてもよい。同Ｉ／Ｏポート２４をＰＣ４０のＩ／Ｏポート４１ｇに接続しておくと、コンポジット用の映像信号の基準信号とコンポーネント用の映像信号の基準信号とをＰＣからの入力により切り替えることが可能になる。
【００４８】
（２）ガンマ補正テーブルについて：
以下、補正テーブル１１３とガンマ補正曲線の関数１１４と、同関数１１４のパラメータ１１５の関係について詳細に説明する。図４は、補正テーブルを模式的に示している。補正テーブルＤ１は、０〜２５５の全段階の入力階調値のそれぞれに対応する複数のガンマ補正後の出力階調値からなる数値データで構成される。同図右に示すグラフＧ１において、横軸を入力階調値とし縦軸をガンマ補正後の出力階調値とされている。
【００４９】
入力階調値に対応する複数のガンマ補正後の出力階調値からなる補正テーブルＤ１は、グラフＧ１において一本の曲線で示すことができ、この曲線をγカーブＣとして示している。ただし、厳密にはγカーブＣは不連続なデジタル階調値のであるため連続的な曲線に近似して描いている。入力階調値がＩtより小さい低階調領域においてはγカーブＣはガンマ補正後の出力階調値側に凸となる曲線形状となっているのに対して、入力階調値がＩtより大きい高階調領域においてはγカーブＣは入力階調値側に凸となる曲線形状となっている。すなわち、入力階調値がＩtとなる点においてγカーブＣは変曲している。以下、入力階調値Ｉtを変曲点階調値と表す。また、入力階調値Ｉtにおける補正後の出力階調値Ｏtは、入力階調値Ｉtと等しい。
【００５０】
ここで、入力階調値とガンマ補正後の出力階調値の関係は、ＥＥＰＲＯＭ１１２に記憶されたガンマ補正曲線の関数１１３により表すことできる。ガンマ補正曲線の関数１１３は、例えば、下記式（１）および下記式（２）の二式で構成される。入力階調値がＩtより小さい低階調領域においては下記式（１）により、ガンマ補正後の出力階調値Ｏが与えられる。
【数１】
2005057543.tif 000003
一方、入力階調値がＩtより小さい低階調領域においては下記式（２）により、ガンマ補正後の出力階調値Ｏが与えられる。
【数２】
2005057543.tif 000004
なお、上記の二式おいて、Ｉは入力階調値を示し、Ｏはガンマ補正後の出力階調値を示し、Ｉrは入力階調値の最大値（２５５）を示し、Ｏrは補正後の出力階調値の最大値（２５５）を示し、γ1は低階調γ値を示し、γ2は高階調γ値を示している。上記の二式において、ガンマ補正後の出力階調値Ｏは、入力階調値の最大値Ｉrと出力階調値の最大値Ｏrと低階調γ値γ1と高階調γ値γ2と変曲点階調値Ｉtとを定数パラメータとして有するとともに、入力階調値Ｉを変数として有するガンマ補正曲線の関数として表される。
【００５１】
すなわち、入力階調値の最大値Ｉrと出力階調値の最大値Ｏrと低階調γ値γ1と高階調γ値γ2と、変曲点階調値Ｉtとを得ることができれば、ガンマ補正後の出力階調値Ｏは入力階調値Ｉから一義的に算出することができる。いいかえれば、これらのパラメータが与えられれば、補正テーブルＤ１を生成することができる。従って、パラメータとしての入力階調値の最大値Ｉrと出力階調値の最大値Ｏrと低階調γ値γ1と高階調γ値γ2と変曲点階調値Ｉtおよびガンマ補正曲線の関数とがそれぞれＥＥＰＲＯＭ１１２に記憶されることにより、補正テーブル生成回路１７０は上記パラメータ１１５およびガンマ補正曲線の関数１１４を読み出してガンマ補正テーブルを生成することができる。むろん、ガンマ補正テーブルはデジタル階調で記憶される必要があるため、厳密にはγ関数により算出されたガンマ補正後の出力階調値Ｏを切り上げや切り捨てや四捨五入等によって整数化している。
【００５２】
なお、上記式（１）および上記式（２）において入力階調値Ｉに変曲点階調値Ｉtを代入すると補正後の出力階調値Ｏは、ともに入力階調値Ｉと等しくなる。すなわち、低階調領域におけるγカーブＣと、高階調領域におけるγカーブＣは変曲点階調値Ｉtにおいて接続し、当該接続点において入力階調値Ｉと補正後の出力階調値Ｏは等しい値となる。
【００５３】
ここで、入力階調値の最大値Ｉrと、出力階調値の最大値Ｏrは単一の機種においては全て同じ（本実施形態においては２５６階調）である。従って、個々の機体によって異なる場合はない。ところが単一の機種であっても搭載される液晶パネル等の製造誤差等によって個々のガンマ特性が異なる場合がある。この場合、個々の機体のガンマ特性に適合したガンマ補正を行うことが望ましく、ＥＥＰＲＯＭ１１２に記憶されるガンマ補正テーブル１１３も個々の機体のガンマ特性に適合したものであることが望ましい。ガンマ補正テーブル１１３を個々の機体のガンマ特性に適合したものに補正するためには、ガンマ補正テーブルＤ１の生成に使用されるガンマ補正曲線の関数１１４のパラメータ１１５の値を以下の様に補正すればよい。
【００５４】
低階調領域においてγカーブＣの曲線形状は低階調γ値γ1によって決定される。低階調γ値γ1が大きければ大きいほど、γカーブＣの補正後の出力階調値軸側への膨らみが大きくなる。例えば、図４において低階調γ値γ1＝２．２と、低階調γ値γ1＝２．３により与えられるγカーブＣを比較して示している。すなわち、低階調γ値γ1が大きいほど、入力階調値に対する補正後の出力階調値が大きくなる。上述したように、低階調領域においてγカーブＣの曲線形状は補正後の出力階調値軸側へ凸であるため、低階調γ値γ1の取り得る値の範囲は”γ1≧１”となる。以上のことから、低階調領域におけるガンマ補正後の出力階調が大きい（理想より明るい）場合には低階調γ値γ1を小さくする補正をすればよいし、ガンマ補正後の出力階調が小さい（理想より暗い）場合には低階調γ値γ1を大きくする補正すればよい。
【００５５】
一方、高階調領域においてγカーブＣの曲線形状は高階調γ値γ2によって決定される。高階調γ値γ2が小さければ小さいほど、γカーブＣの入力階調値軸側への膨らみが大きくなる。例えば、図４において高階調γ値γ2＝０．４５と、高階調γ値γ2＝０．４３により与えられるγカーブＣを比較して示している。すなわち、高階調γ値γ2が小さいほど、入力階調値に対する補正後の出力階調値が小さくなる。上述したように、高階調領域においてγカーブＣの曲線形状は入力階調値軸側へ凸であるため、高階調γ値γ2の取り得る値の範囲は”γ2≦１”となる。以上のことから、高階調領域におけるガンマ補正後の出力階調が大きい（理想より明るい）場合には高階調γ値γ2を小さくする補正をすればよいし、ガンマ補正後の出力階調が小さい（理想より暗い）場合には低階調γ値γ2を大きくする補正すればよい。
【００５６】
以上説明したように、低階調γ値γ1と高階調γ値γ2を調整することにより、所望のガンマ補正が可能な補正テーブルＤ１を生成することが可能となる。むろん、変曲点階調値Ｉtを調整することによってもガンマ補正の特性を調整することもできるが、本実施形態においては低階調γ値γ1と高階調γ値γ2のみを調整することにより補正テーブルの調整を行っている。なお、パラメータとしての低階調γ値γ1と高階調γ値γ2の調整処理については後述する。
【００５７】
ただし、上記式（１）および上記式（２）で示すガンマ補正曲線の関数は本実施形態のＴＶ１００の機種のガンマ特性に適合させたもので、パネル表示テレビジョンの機種毎に最適な関数が設定される。例えば、”γ2≦１”とした高階調γ値γ2の取り得る値を無制限とすることもできるし、変曲点を二個以上有する関数が設定されていてもよい。
【００５８】
（４）調整用コンピュータの構成：
ＰＣ（調整用コンピュータ）４０は、図５に示すように、バス４１ｈに、ＣＰＵ４１ａ、ＲＯＭ４１ｂ、ＲＡＭ４１ｃ、ディスプレイＩ／Ｆ４１ｄ、ドライバ機能を有するハードディスク（ＨＤ）４１ｅ、入力Ｉ／Ｆ４１ｆ、Ｉ／Ｏポート４１ｇ、通信ポート４０ａ、Ｉ／Ｏボード４０ｂ、ＴＶＩ／Ｆ４０ｃ等が接続されている。通信ポート４０ａは、例えば、ＬＰＴポートやＲＳ−２３２ポートやＣＯＭポート等を利用することができる。ディスプレイＩ／Ｆ４１ｄにはディスプレイ４１ｄ１が接続され、入力Ｉ／Ｆ４１ｆにはキーボード４１ｆ１とマウス４１ｆ２が接続されている。ポート４０ａにはケーブル４９を介してＴＶ１００のＩＩＣデータポート１０３が接続され、Ｉ／Ｏボード４０ｂにはケーブル３９を介してカラーアナライザー３０が接続されている。ＴＶＩ／Ｆ４０ｃには信号ケーブル２９を介してＴＶの端子１２３が接続されている。
【００５９】
ＣＰＵ４１ａは、ＲＡＭ４１ｃをワークエリアとして使用しながらＲＯＭ４１ｂに書き込まれた所定の制御プログラムを実行する。ＨＤ４１ｅにはガンマ補正用の補正テーブルを決定してＴＶに記憶させる処理を行うアプリケーションプログラム（ＡＰＬ）や基準映像信号を生成させるＡＰＬや理想の輝度直線（曲線）が記憶されており、適宜ＲＡＭに読み出されてＡＰＬが実行される。以上のハードウェアに基づいて、ＰＣ４０は、ガンマ補正テーブルを生成するための上記パラメータを調整する処理を行い、調整したパラメータおよび基準の映像信号をＴＶ１００に対して出力する処理を行う。
【００６０】
なお、ＰＣ４０には、デスクトップ型、ノート型、モバイル対応等種々のＰＣを採用可能であるが、ＰＣ以外のコンピュータも採用可能である。
【００６１】
（４）調整処理とパネル表示テレビジョン調整方法の説明：
図６は、本システムの調整処理の流れを示しており、調整用コンピュータ４０と液晶ＴＶ１００の処理をフローチャートにより示している。これらのフローは、ＰＣのＣＰＵ４１ａやＴＶのマイコン１１０によって行われるものである。本発明にいうパラメータ設定制御手段は、図に示す調整処理を行うＰＣ４０と、カラーアナライザー３０の制御部３３ａ〜ｃ，３０ａおよびケーブル３９とから構成される。なお、ＴＶを製造する工場での最終調整工程において、ＴＶの画質調整を行うものとする。ここで、ガンマ補正曲線の関数、その定数パラメータとしての変曲点階調値Ｉtとデフォルトの低階調γ値γ1と高階調γ値γ2、およびこれらに基づいて生成された補正テーブルとを書き込んだＥＥＰＲＯＭをＴＶに実装したうえで本処理が行われる。
【００６２】
工場の作業者が画質調整を行おうとするＴＶ１００の電源をオンにすると、同ＴＶはＥＥＰＲＯＭ１１２からデフォルトの低階調γ値γ1と高階調γ値γ2から生成された補正テーブルを読み出して端子１２３から同映像信号の基準信号を入力を受け付ける（ステップＳ１０５）。すなわち、ＴＶ１００は、同映像信号から映像を多数の画素別にデジタルの階調値で表現する映像データを生成し、γ補正回路１５３で同映像データを構成する入力階調値に対応する出力階調値をＥＥＰＲＯＭ１１２内の補正テーブル１１３から取得するとともに、これをメモリ１５５に保持しつつγ補正回路１５２が同入力階調値を同取得した補正後の出力階調値に置き換えることによりガンマ補正を行い、ガンマ補正が行われた映像データを液晶モジュール１８０に対して出力可能な状態で待機する。
【００６３】
なお、ここまでのＴＶ１００の動作は通常の使用時で実行される立ち上げ動作においても行われる動作である。次に、ＴＶ１００にＰＣ４０とを接続し、作業者がＰＣ４０において所定の操作を行って調整フローを開始させる（ステップＳ１１０）と、ＴＶ１００はステップＳ１１５にて通常モードから工場モードに切り換えられる。この工場モードにおいては、ＥＥＰＲＯＭ１１２のパラメータ１１５に記憶された低階調γ値γ1と高階調γ値γ2が調整用コンピュータ４０の要求に応じて書き換え可能となるとともに、これらに基づく生成される補正テーブル１１３も書き換え可能となる。
【００６４】
一方、ＰＣ４０においてステップＳ１１０で調整フローが開始すると、ステップＳ１２０にてＨＤ４１ｅに記憶されたＡＰＬにより基準信号を生成し、同基準信号を信号待ち状態で待機しているＴＶ１００に出力する。この基準信号には、赤（Ｒ），緑（Ｇ），青（Ｂ）の各チャンネルの信号が含まれるが、ここでは、各チャンネルの入力階調値がＲ＝Ｇ＝Ｂとなるグレー信号を生成し出力している。グレー信号においては全チャンネルが均等な階調値として出力されるため、全チャンネルを同時に調整することが可能となる。ただし、基準信号として入力階調値に対する出力輝度の対応が得られれば良く、例えば、赤（Ｒ），緑（Ｇ），青（Ｂ）の各チャンネル個別に評価をするために単色の映像信号を出力するようにしてもよい。
【００６５】
ＰＣ４０は各チャンネルの入力階調値がＲ＝Ｇ＝Ｂを保った状態で、入力階調値を０から変曲点階調値Ｉtまで（低階調領域において）変化させる。すると、信号待ち状態で待機しているＴＶ１００は、ステップＳ１２５にて入力した基準信号をガンマ補正しつつ液晶モジュール１８０に出力する。液晶モジュール１８０に映し出される映像は、入力階調値Ｒ＝Ｇ＝Ｂ＝０の黒画面から、入力階調値Ｒ＝Ｇ＝Ｂ＝Ｉtに近づくにつれて明るさが増し薄いグレーの画面となる。カラーアナライザー３０は、ＣＣＤ撮像素子３１等によって、この画像を撮像し輝度値として検出する。なお、カラーアナライザー３０は調整用コンピュータ４０と接続しており、入力階調値と撮像した画像の輝度値の対応関係を計測している。
【００６６】
ステップＳ１３０では、ＰＣ４０は、カラーアナライザー３０により取得された入力階調値と画像の輝度値との対応関係の解析を行っている。図７は、ステップＳ１３０にて行われる解析の様子をグラフにより示している。同図において、横軸には入力階調値を示し、縦軸には画像輝度を示している。従って、入力階調値と画像の輝度値との対応関係は輝度曲線Ｓとして表すことができる。ここで、液晶モジュール１８０に映し出される映像は、ガンマ補正後の映像信号に基づく画像であるため、入力階調値に基づく輝度変化が線形的であることが望ましい。すなわち、同グラフにおいて斜線で示す理想直線（曲線）Ｌのように画像の輝度値が入力階調値に対して比例すれば、ＴＶ１００にて行われるガンマ補正が非線形性を補償しているということが言える。なお、理想直線Ｌの対応関係を示すデータはＨＤ４１ｅに予め記憶されており、適宜読み出して使用している
【００６７】
同グラフの各階調値において理想直線Ｌ上の輝度値の高輝度側および低輝度側に所定の輝度値の許容幅（±ｄ）が設定されており、同所定の輝度値の許容幅の範囲内となる領域を斜線で示している。ステップＳ１３５では実際の輝度曲線Ｓが全階調においてこの許容幅の範囲内となればデフォルトの低階調γ値γ1に基づく低階調領域におけるガンマ補正が適正であると判定する。実際の輝度曲線Ｓがこの許容幅の範囲内でなければデフォルトの低階調γ値γ1に基づく低階調領域におけるガンマ補正が適正ではないと判定する。
【００６８】
なお、上記許容幅は図に示すように全階調値において一定の許容幅（例えば、±ｄ）を高輝度側および低輝度側に与えるものとしてもよいし、理想直線Ｌの輝度値に対する所定の比率の範囲を許容幅とするようにしてもよい。むろん、許容幅は理想とするガンマ補正の精度に応じたものを適用すればよい。また、本実施形態においては理想直線Ｌは直線形状としたが必ずしも直線である必要はなく、曲線等であってもよい。すなわち、他の構成機器等の条件によっては曲線等となる方が理想的なガンマ補正が実現できる場合もあるし、視聴者の趣向によっても目標とする輝度特性が変わる場合もある。
【００６９】
また、実際の輝度曲線Ｓが全階調において許容幅の範囲内となるか否かを判断することにより、全階調にわたってガンマ補正が適正であるかを判定することができる。ただし、必ずしも全階調にわたってガンマ補正が適正であるかを判定する必要はない。例えば、機体毎のガンマ特性にばらつきが生じそうな階調値の範囲が予め分かっている場合等においては、その階調値の範囲のみを評価して処理効率を向上させる等してもよい。
【００７０】
ここで、実際の輝度曲線が斜線で示す許容幅の上限値より高い輝度値となる場合は、補正後の出力階調値が大き過ぎるため、補正後の出力階調値を減少させる必要がある。従って、ステップＳ１４０では低階調γ値γ1の値を５％小さくすることにより、図４に示すγカーブＣの補正後の出力階調値側への膨らみを小さくさせる。反対に、実際の輝度曲線が斜線で示す許容幅の下限値より低い輝度値となる場合は、補正後の出力階調値が小さ過ぎるため、補正後の出力階調値を増加させる必要がある。従って、ステップＳ１４０では低階調γ値γ1の値を５％大きくすることにより、図４に示すγカーブＣの補正後の出力階調値側への膨らみを大きくさせる。
【００７１】
ステップＳ１４０にて増減させられた低階調γ値γ1はＴＶ１００に出力される。ＴＶ１００においてはステップＳ１４５にて増減させられた低階調γ値γ1の入力を受け付けるとステップＳ１５０にてデフォルトの低階調γ値γ1は、増減させられた低階調γ値γ1で置き換えられ、後者がＥＥＰＲＯＭ１１２に記憶される。さらに、置き換えられた低階調γ値γ1を上記式（１）で表されるガンマ補正曲線の関数のパラメータとして代入し、補正テーブルを生成する。そして、生成した補正テーブルでデフォルトの補正テーブルを置き換えてＥＥＰＲＯＭ１１２に記憶させる。従って、以降ＴＶ１００に入力される映像データは、ステップＳ１５０にて置き換えられて記憶された補正テーブル１１３を使用してガンマ補正されることとなる。
【００７２】
一方、ＰＣ４０においてステップＳ１４０にて低階調γ値γ1の値を増減させＴＶ１００に出力させると、再びステップＳ１２０以降を繰り返し実行する。ただし、ステップＳ１３０で再び解析される液晶モジュール１８０の画像輝度値は、置き換えられた補正テーブル１１３を使用してガンマ補正を行った画像データの出力画像となる。従って、初回よりも理想曲線に近づいていることが期待できる。ステップＳ１３５で再び輝度値が許容範囲とならなかった場合には、さらに同様の処理を繰り返す。すなわち、ステップＳ１２０〜Ｓ１４０の処理を繰り返すことにより、初期においては理想曲線から大きく外れる輝度値であったものも徐々に理想曲線に漸近させることができる。このとき、ＴＶ１００は工場モードで待機しているため、ＰＣ４０の要求に応じて低階調γ値γ1と補正テーブルをＥＥＰＲＯＭ１１２に逐次記憶させる。
【００７３】
ステップＳ１３５において、輝度値が許容範囲となった場合には、低階調γ値が適正であるとして低階調γ値γ1の設定を終了するとともに、ステップＳ１５５以降の高階調γ値γ2の設定を開始させる。ステップＳ１５５においては、ＰＣ４０は基準信号を生成し、同基準信号を信号待ち状態で待機しているＴＶ１００に出力する。ここで出力される基準信号は、ステップＳ１２０と同様に各チャンネルの入力階調値がＲ＝Ｇ＝Ｂとなるグレー信号である。各チャンネルの入力階調値がＲ＝Ｇ＝Ｂを保った状態で、入力階調値をＩtから２５５（最大階調値Ｉr）まで、すなわち高階調領域において変化させる。
【００７４】
映像信号待ち状態で待機しているＴＶ１００は、ステップＳ１６０にてガンマ補正しつつ基準信号に基づく映像信号を液晶モジュール１８０に出力する。液晶モジュール１８０に映し出される映像は、入力階調値Ｒ＝Ｇ＝Ｂ＝Ｉtのグレー画面から、入力階調値Ｒ＝Ｇ＝Ｂ＝２５５に近づくにつれて明るさが増し白色画面となる。カラーアナライザー３０は、ＣＣＤ撮像素子３１等によって、この画像を撮像し輝度値として検出する。そして、ステップＳ１６５においてはステップＳ１３０と同様に、実際の輝度値と入力階調値との対応関係とＨＤ４１ｅに記憶された理想直線Ｌとを比較する。すなわち、デフォルトの高階調γ値γ2が線形性を補償し得るガンマ補正が可能な値であるか否かを判定する。ステップＳ１７０においてもステップＳ１３５と同様に、実際の輝度値が許容幅の範囲内となるか否かを判定する。
【００７５】
ここで、実際の輝度曲線が斜線で示す許容幅の上限値より高い輝度値となる場合は、補正後の出力階調値が大き過ぎるため、補正後の出力階調値を減少させる必要がある。従って、ステップＳ１７５では高階調γ値γ2の値を５％小さくすることにより、図４に示すγカーブＣの出力階調値側への膨らみを大きくさせる。反対に、実際の輝度曲線が斜線で示す許容幅の下限値より低い輝度値となる場合は、補正後の出力階調値が大き過ぎるため、補正後の出力階調値を増加させる必要がある。従って、ステップＳ１７５では高階調γ値γ2の値を５％小さくすることにより、図４に示すγカーブＣの入力階調値側への膨らみを小さくさせる。
【００７６】
そして、増減させた高階調γ値γ2の出力をＴＶ１００はステップＳ１８０において受け付ける。増減させた高階調γ値γ2の出力がされれば、高階調γ値γ2の入力があるとしてステップＳ１８５を実行する。ステップＳ１８５においては、デフォルトの高階調γ値γ2を増減された高階調γ値γ2で置き換えて、同置き換えた高階調γ値γ2を上記式（２）で示されるガンマ補正曲線の関数のパラメータとして代入することにより新たな補正テーブルを生成させる。すなわち、増減させられた高階調γ値γ2に基づく補正テーブルでデフォルトの補正テーブルを置き換えて、ＥＥＰＲＯＭ１１２に記憶させる。従って、以降液晶モジュール１８０に出力される画像は新たな高階調γ値γ2に基づく補正テーブルによってガンマ補正されることとなる。
【００７７】
ＴＶ１００に増減させた高階調γ値γ2の出力すると、ＰＣ４０はステップＳ１５５〜Ｓ１７５の処理を繰り返す。ただし、ステップＳ１６０にて液晶モジュール１８０に映し出される映像は、前回よりも理想曲線に近づくため繰り返されるステップＳ１７０において、実際の輝度値が許容範囲内となる可能性が高くなる。すなわち、ステップＳ１５５〜Ｓ１７５の処理を繰り返し実行することにより、許容範囲内となるまで実際の輝度値を理想曲線に漸近させることができる。なお、ステップＳ１７０にて、実際の輝度値が許容範囲内となると判定されると高階調γ値γ2の設定処理を完了する。以上説明したステップＳ１１０〜Ｓ１７５の処理のうちＰＣ４０が行う処理は本発明にいうパラメータ設定制御手段に相当する。
【００７８】
一方、ＴＶ１００もステップＳ１８０において、高階調γ値γ2の更新が受け付けられなければ、ステップＳ１９０にて工場モードを終了させる。つまり、低階調γ値γ1および高階調γ値γ2や補正テーブルの書き換えができなくなる。この時点でステップＳ１８５もしくはステップＳ１５０にて最後に生成された補正テーブルまたはデフォルトの補正テーブルが最終的に記憶されている。いずれにしても、ステップＳ１９０の段階で記憶されている補正テーブルは、低階調領域および高階調領域の両方において実際の輝度とが許容範囲内となることが保証される。従って、ステップＳ１９０で調整が終了し出荷されるＴＶ１００は、出力輝度の線形性をガンマ補正により実現することができる。また、以上の処理は個々の機体に対して行われるため、機体毎のガンマ特性の誤差を補償して、一様な出力特性を実現させることができる。
【００７９】
以上説明したように、本発明においては各パネル表示テレビジョンの機体毎にガンマ補正テーブルを調整することにより、機体毎にばらつくガンマ特性を一様とする調整ができる。また、パネル表示テレビジョンがガンマ補正テーブルをガンマ補正曲線の関数から生成することにより、調整装置はパネル表示テレビジョンに対して補正テーブル自体のデータを出力する必要がない。すなわち、調整装置はパネル表示テレビジョンに対してガンマ補正曲線の関数の調整されたパラメータを出力すれば足りる。従って、データ伝送に要する時間も短縮できるし、伝送エラーも発生させにくくすることができる。
【００８０】
また、補正テーブル自体のデータを調整装置からパネル表示テレビジョンに対して出力しない手段として、予めパネル表示テレビジョンのＥＥＰＲＯＭに複数のガンマ補正テーブルを記憶しておき、調整装置の指令により同複数のガンマ補正テーブルのうち最も適するガンマ補正テーブルを選択して使用するシステムも考えられる。しかし、このシステムにおいてはＥＥＰＲＯＭ等に複数のガンマ補正テーブルを記憶しなければならず、記憶容量の少ないＥＥＰＲＯＭ等によって実現するのは困難である。
【図面の簡単な説明】
【００８１】
【図１】パネル表示テレビジョン調整システムの一例の概略構成を示すシステム構成図である。
【図２】カラーアナライザーの構成を示すブロック図である。
【図３】液晶テレビジョンの構成を示すブロック図である。
【図４】γカーブ補正テーブルを模式的に示す図である。
【図５】調整用コンピュータの概略構成を示すブロック図である。
【図６】パネル表示テレビジョン調整システムの調整処理の流れをフローチャートである。
【図７】パラメータの調整処理を模式的に示す図である。
【符号の説明】
【００８２】
３０…カラーアナライザー
４０…調整用コンピュータ（ＰＣ）
４０ａ…通信ポート
４０ｂ…Ｉ／Ｏボード
４１ａ…ＣＰＵ
４１ｂ…ＲＯＭ
４１ｃ…ＲＡＭ
４１ｅ…ハードディスク（ＨＤ）
１００…液晶テレビジョン（ＴＶ）
１０１…本体部
１０２…ＩＩＣバス
１０３…ＩＩＣバスデータポート
１１０…マイコン
１１１…操作パネル
１１２…ＥＥＰＲＯＭ
１１３…γカーブ補正テーブル（補正テーブル）
１１４…ガンマ補正曲線の関数
１１５…パラメータ
１３０…ビデオ信号処理部
１５３…γ補正回路
１５５…メモリ
１７０…ガンマ補正テーブル生成回路
１８０…液晶モジュール（液晶表示部）
１８１…制御回路
１８２〜１８４…液晶パネル
１８５…バックライト
１８６…インバータ
１９０…電源装置
１９９…表示画面
ＣＬＫ１，ＣＬＫ２…発振回路
【図１】
2005057543.tif 000005
【図２】
2005057543.tif 000006
【図３】
2005057543.tif 000007
【図４】
2005057543.tif 000008
【図５】
2005057543.tif 000009
【図６】
2005057543.tif 000010
【図７】
2005057543.tif 000011